(57)【要約】【課題】レンズバリヤ装置においてバリヤ羽根を閉じ方向に付勢するバネが脱落し易いためレンズバリヤ装置の組付作業性の向上に悪影響を与えていたのを改善する。【解決手段】レンズバリヤ装置１は、レンズの前面に配置され上記レンズと対向する位置に開口部２を有するバリヤベース３と、バリヤベース３に対向して配置され開口部２と対向する位置に開口部４を有するカバー５と、バリヤベース３とカバー５の間に上記開口部２，４を開閉移動可能に組み付けられたバリヤ羽根６，７と、バリヤ羽根６，７を閉じる位置に付勢するバネ８，９と、バネ８，９の付勢力に抗してバリヤ羽根６，７を開放する位置に移動させるバリヤ羽根駆動部１０と、を備えている。上記バネ８，９は、バリヤ羽根６，７の前後面を挟持するバリヤ羽根挟持部２４を備えている。【選択図】図３
2008158248.tif 000002
【特許請求の範囲】
【請求項１】
レンズの前面に配置され上記レンズと対向する位置に開口部を有するバリヤベースと、
上記バリヤベースと対向して配置され上記バリヤベースの開口部と対向する位置に開口部を有するカバーと、
上記バリヤベースと上記カバーの間に上記開口部を閉塞する位置と上記開口部を開放する位置の間で移動可能に組み付けられたバリヤ羽根と、
上記バリヤ羽根を上記開口部を閉塞する位置に付勢するネジリコイルバネと、
上記ネジリコイルバネの付勢力に抗して上記開口部を開放する位置に上記バリヤ羽根を移動させるバリヤ羽根駆動部と、
を備え、
上記ネジリコイルバネは、上記バリヤ羽根の前後面を挟持するバリヤ羽根挟持部を備えていることを特徴とするレンズバリヤ装置。
【請求項２】
上記バネは、ループ部と、該ループ部の一端部から延びる第１アーム部と、上記ループ部の他端部から延びる第２アーム部と、を備え、
上記バリヤ羽根挟持部は、上記第２アーム部に設けられていることを特徴とする請求項１に記載のレンズバリヤ装置。
【請求項３】
上記バリヤ羽根挟持部は、上記第２アーム部と、該第２アーム部の先端部から上記ループ部の中心軸方向と略平行に伸びる第１折曲部と、該第１折曲部の先端部から上記第２アーム部と略平行に延びる第２折曲部と、によって略コ字状に形成されていることを特徴とする請求項２に記載のレンズバリヤ装置。
【請求項４】
上記第２折曲部は、上記バリヤ羽根に係合するバリヤ羽根係合部を備えていることを特徴とする請求項３に記載のレンズバリヤ装置。
【請求項５】
上記バリヤ羽根係合部は、上記第２折曲部の先端を折り曲げることにより形成されていることを特徴とする請求項４に記載のレンズバリヤ装置。
【請求項６】
上記バリヤ羽根係合部は、略半円形状に形成されていることを特徴とする請求項４に記載のレンズバリヤ装置。
【請求項７】
上記バリヤ羽根は、前後面の何れか一方の面に上記バネのループ部に嵌合する第１突起部および上記バネの第１アーム部が係合する第２突起部を備え、他方の面に上記バリヤ羽根係合部が係合する第３突起部を備えていることを特徴とする請求項４に記載のレンズバリヤ装置。
【請求項８】
レンズバリヤ装置に使用されてバリヤ羽根を付勢するネジリコイルバネであって、上記バリヤ羽根の前後面を挟持するバリヤ羽根挟持部を備えていることを特徴とするネジリコイルバネ。
【請求項９】
上記バネは、ループ部と、該ループ部の一端部から延びる第１アーム部と、上記ループ部の他端部から延びる第２アーム部と、を備え、
上記バリヤ羽根挟持部は、上記第２アーム部に設けられていることを特徴とする請求項８に記載のネジリコイルバネ。
【発明の詳細な説明】
【技術分野】
【０００１】
本発明は、デジタルスチルカメラ、デジタルビデオカメラ等の撮像装置において、非撮影時に撮像レンズの前方を覆って、上記撮像レンズを保護するレンズバリヤ装置に関するものである。
【背景技術】
【０００２】
レンズバリヤ装置として、レンズの前面に配置され上記レンズと対向する位置に開口部を有するバリヤベースと、該バリヤベースと対向して配置され上記バリヤベースの開口部と対向する位置に開口部を有するカバーと、上記バリヤベースと上記カバーの間に上記開口部を閉塞する位置と上記開口部を開放する位置の間で移動可能に組み付けられたバリヤ羽根と、該バリヤ羽根を上記開口部を閉塞する位置に付勢するバネと、該バネの付勢力に抗して上記開口部を開放する位置に上記バリヤ羽根を移動させるバリヤ羽根駆動部と、を備えたものが知られている。上記バリヤ羽根を閉じ方向に付勢するバネには、引張りコイルバネ（例えば、特許文献１参照）或いはネジリコイルバネ（例えば、特許文献２参照）が使用されている。
【０００３】
図２２に示すように、引張りコイルバネ１０１は、一端がバリヤ羽根１０２に係止され、他端がベースプレート１０３に係止されていて、バリヤ羽根１０２を閉じ方向に牽引している。
【０００４】
また、図２３に示すように、ネジリコイルバネ１１１は、ループ部１１２と、該ループ部１１２の両端から延びる一対のアーム部１１３，１１４と、からなっていて、上記ループ部１１２をバリヤ羽根１０２等に設けたバネ支持軸１２２に挿入し、一方のアーム部１１３をバリヤ羽根１０２に設けたバネ係止部１２３に係止し、他方のアーム部１１４をベースプレート１０３に設けたバネ係止部１２４に係止することにより、バリヤ羽根１０２に閉じ方向の付勢力を付与している。
【特許文献１】特開２００３−２９５２５６号公報
【特許文献２】特開２００２−１４８６８２号公報
【発明の開示】
【発明が解決しようとする課題】
【０００５】
ところで、上記引張りコイルバネ１０１は、伸縮するので、そのためのスペースも確保しなければならない。また、ワイヤーを円形状に巻き重ねて略円筒状に形成されているために、ベースプレート１０３上に引張りコイルバネ１０１の直径Ｄよりも大きなバネ配置スペースを確保しなければならず、レンズバリヤ装置を薄型化する上で障害になる。そこで、図２４に示すように、上記ベースプレート１０３に切欠部１０４を設け、該切欠部１０４内に引張りコイルバネ１０１を配置することにより薄型化を図ったものも開発されているがコストが高くなる。
【０００６】
一方、ネジリコイルバネ１１１は、上記引張りコイルバネ１０１に較べ安価で、且つ引張りコイルバネ１０１のように配置スペースを取らないため、レンズバリヤ装置を薄型化する上で有利であるが、バネ支持軸１２２等からループ部１１２が簡単に脱落してしまうため、組み付け作業性が悪いという問題点がある。
【０００７】
本発明の目的は、バリヤ羽根に閉じ方向の付勢力を付与するバネにネジリコイルバネを使用したレンズバリヤ装置において最大の課題とされていた組付作業中にネジリコイルバネが脱落し易いという問題点を改善し、レンズバリヤ装置の組付作業性を向上させることにある。
【課題を解決するための手段】
【０００８】
本発明は、レンズの前面に配置され上記レンズと対向する位置に開口部を有するバリヤベースと、該バリヤベースと対向して配置され上記バリヤベースの開口部と対向する位置に開口部を有するカバーと、上記バリヤベースと上記カバーの間に上記開口部を閉塞する位置と上記開口部を開放する位置の間で移動可能に組み付けられたバリヤ羽根と、該バリヤ羽根を上記開口部を閉塞する位置に付勢するネジリコイルバネと、該バネの付勢力に抗して上記バリヤ羽根を上記開口部を開放する位置に移動させるバリヤ羽根駆動部と、を備えたレンズバリヤ装置において、
上記バネに、上記バリヤ羽根の前後面を挟持するバリヤ羽根挟持部を設けた。
【発明の効果】
【０００９】
上記バリヤ羽根挟持部でバリヤ羽根の前後面を挟持して、上記バネをバリヤ羽根に仮止めし、上記バネがバリヤ羽根から容易に脱落しないようにして組付作業を特別の治具等を使用することなく容易に行うことができる。
【発明を実施するための最良の形態】
【００１０】
図１はレンズバリヤ装置１の斜視図、図２はカバーを取り外した状態の斜視図である。図３は分解斜視図である。図３に示すように、レンズバリヤ装置１は、図示を省略したレンズの前面に配置され該レンズと対向する位置に開口部２を有するバリヤベース３と、該バリヤベース３と対向して配置され上記バリヤベース３の開口部２と対向する位置に開口部４を有するカバー５と、上記バリヤベース３と上記カバー５の間に上記開口部２，４を閉塞する位置と上記開口部を開放する位置の間で移動可能に組み付けられた一対のバリヤ羽根６，７と、これらバリヤ羽根６，７を上記開口部２，４を閉塞する位置に付勢するネジリコイルバネ８，９と、これらネジリコイルバネ８，９の付勢力に抗して上記バリヤ羽根６，７を上記開口部２，４を開放する位置に移動させるバリヤ羽根駆動部１０と、を備えている。
【００１１】
上記バリヤ羽根駆動部１０は、上記バリヤ羽根６，７を上記ネジリコイルバネ８，９の付勢力に抗して上記開口部２，４を開放する位置に移動させるバリヤ羽根操作リング１１と、該バリヤ羽根操作リング１１を上記バリヤベース３の背面との間に回転可能に挟んでいるリング状のプレート１２と、該プレート１２の背面側に取り付けられたコネクタホルダ１３と、該コネクタホルダ１３に組み付けられたステッピングモータ１４と、該ステッピングモータ１４の回転を上記バリヤ羽根操作リング１１に伝達するギヤトレイン１５と、を備えている。上記ギヤトレイン１５の末端のギヤ１６は、上記バリヤ羽根操作リング１１の外周面に設けた円弧状のギヤ歯１７に噛合していて、上記ステッピングモータ１４を回転させると上記ギヤトレイン１５を介して上記バリヤ羽根操作リング１１を回転させる。そして、上記バリヤ羽根操作リング１１に設けた第１，第２バリヤ羽根操作突起１８，１９で上記バリヤ羽根６，７の被押圧部２０を押圧して、これらバリヤ羽根６，７をネジリコイルバネ８，９の付勢力に抗して回転させて上記開口部２，４を開放する。
【００１２】
次に、バリヤベース３、カバー５、一対のバリヤ羽根６，７、バネ８，９等について詳しく説明する。先ず、バネ８，９について説明する。
【００１３】
図４，図５に拡大して示すように、上記バネ８は、ループ部（コイル部）２１と、該ループ部２１の一端部から延びる第１アーム部２２と、上記ループ部２１の他端部から延びる第２アーム部２３と、を備えている。
【００１４】
上記バネ８の第２アーム部２３側にはバリヤ羽根挟持部２４が形成されている．上記バリヤ羽根挟持部２４は、上記第２アーム部２３と、該第２アーム部２３の先端部から上記ループ部２１の中心軸ＣＬ方向と略平行に伸びる第１折曲部２５と、該第１折曲部２５の先端部から上記第２アーム部２３と略平行に延びる第２折曲部２６と、によって略コ字状に形成されている。
【００１５】
上記第２折曲部２６の先端部には、次に説明するバリヤ羽根６，７に設けた第１突起部３４に係合するバリヤ羽根係合部２７が形成されている。上記バリヤ羽根係合部２７は、上記第２折曲部２６の先端を上記ループ部２１の形状に合わせて略半円形に延ばすことにより形成されている。上記第２アーム部２３と第２折曲部２６の間の隙間δ、即ち上記第１折曲部２５の長さは、次に説明するバリヤ羽根６，７の肉厚とよりも若干小さ目に形成されている。そして、上記第２アーム部２３と第２折曲部２６の間の隙間δに上記バリヤ羽根６を挿入することにより、該バリヤ羽根６の前後面を上記第２アーム部２３と第２折曲部２６で挟んだ状態で上記バリヤ羽根６に組み付けられるようになっている。なお、他方のバネ９は、上記一方のバネ８と略対称形状に形成されている。
【００１６】
次に、バリヤ羽根６，７について説明する。バリヤ羽根６は、略扇型の羽根本体部３１の要（かなめ）の部分に略矩形状の枢支部３２を設けることにより平面視略斧型の薄板状に形成されている。
【００１７】
図６に拡大して示すように、上記枢支部３２の肉厚方向の両面には、第１，第２突起部３３，３４が設けられている。上記第１，第２突起部３３，３４の中心部には、第１，第２突起部３３，３４を貫通する軸受孔３５が設けられていると共に、該軸受孔３５と反対側の端部にはバリヤ羽根６を閉じた位置に停止させるためのストッパ３６（図３参照）が設けられている。
【００１８】
図７，図８に示すように、上記バネ８は、上記第２アーム部２３と第２折曲部２６の間に上記バリヤ羽根６の枢支部３２を挿入して、上記ループ部２１を上記第１突起部３３の外周に嵌合し、上記略半円形のバリヤ羽根係合部２７を上記第２突起部３４の外周に係合させ、且つ上記第２折曲部２５を上記枢支部３２の側面３２ａに接触させることにより、上記バリヤ羽根６の枢支部３２に組み付けられる。
【００１９】
図９に示すように、上記バネ８を組み付けたバリヤ羽根６は、上記軸受孔３５内に、次に詳しく説明するバリヤベース３に設けたバリヤ羽根枢支軸３７を挿入することにより、バリヤベース３に回転可能に組み付けられると共に、上記バネ８の第１アーム部２２をバリヤベース３に設けたアーム当接部３８に当接させることにより上記バネ８によって上記開口部２，４を閉じる方向に付勢されている。他方のバリヤ羽根７は、上記一方のバリヤ羽根６と略対称形状に形成されていて、上記バネ９が組み付けられている。
【００２０】
次に上記バリヤベース３について説明する。図３に示すように、上記バリヤベース３は、一側面（上記バリヤ羽根６を重ね合わせる側面）に、上記バリヤ羽根６の軸受孔３５に挿入する第１バリヤ羽根枢支軸３７が形成されていると共に、該第１バリヤ羽根枢支軸３７の近傍には、上記バネ８の第１アーム部２２が当接する第１アーム当接部３８が設けられている。そして、図７〜図９に示すように、上記バネ８を組み付けたバリヤ羽根６の軸受孔３５に上記第１バリヤ羽根枢支軸３７を挿入することにより、バリヤ羽根６は、バリヤベース３に回転可能に組み付けられると共に、上記バネ８の第１アーム部２２を上記第１アーム当接部３８に当接させることにより上記バネ８によって上記開口部２，４を閉じる方向に付勢される。
【００２１】
また、図３に示すように、上記バリヤベース３は、上記第１バリヤ羽根枢支軸３７と第１アーム当接部３８に対してそれぞれ略１８０°の角度をもって対向する位置に、第２バリヤ羽根枢支軸３９および第２アーム当接部４０を備えている。そして、上記バネ９を組み付けたバリヤ羽根７の軸受孔３５に上記第２バリヤ羽根枢支軸３９を挿入することにより、バリヤ羽根７は、バリヤベース３に回転可能に組み付けられると共に、上記バネ９の第１アーム部２２を上記第２のアーム当接部４０に当接させることにより上記バネ８によって上記開口部２，４を閉じる方向に付勢される。
【００２２】
図１０Ａ〜Ｄは、バリヤ羽根６，７をバリヤベース３に組付ける場合の一例を示す説明図である。先ず、図１０Ａに示すように、バネ８を組み付けたバリヤ羽根６の軸受孔３５に上記第１バリヤ羽根枢支軸３７を挿入し、バリヤ羽根６をバリヤベース３に回転可能に組み付ける。
【００２３】
次に、図１０Ｂに示すように、上記第１バリヤ羽根枢支軸３７を中心にバリヤ羽根６を時計方向に所定の角度回転させると、上記バネ８の第１アーム部２２が上記第１アーム当接部３８に当接して付勢力が発生する。更にバリヤ羽根６を回転させて該バリヤ羽根６に設けたストッパ３６を上記第２のアーム当接部４０を一旦通過させてから該第２のアーム当接部４０に当接させる。ストッパ３６を上記第２のアーム当接部４０に当接させることによって、バリヤ羽根６は、上記開口部２の約半分を閉じた状態になる。
【００２４】
次に、図１０Ｃに示すように、バネ９を組み付けたバリヤ羽根７の軸受孔３５に上記第２バリヤ羽根枢支軸３９を挿入し、バリヤ羽根７をバリヤベース３に回転可能に組み付ける。
【００２５】
次に、図１０Ｄに示すように、上記第２バリヤ羽根枢支軸３９を中心にバリヤ羽根７を時計方向に所定の角度回転させると、上記バネ９の第１アーム部２２が上記第２アーム当接部４０に当接して付勢力が発生する。更にバリヤ羽根７を回転させて該バリヤ羽根７に設けたストッパ３６を上記第１のアーム当接部３８を一旦通過させてから上記バリヤ羽根６の開口側の側縁６ａに上記バリヤ羽根７の開口側の側縁７ａを当接させる。これによって、バリヤ羽根７は、上記バリヤ羽根６で半分が閉じられた上記開口部２の残りの半分を閉じた状態になる。上述のようにしてバリヤ羽根６、７を組み付けたバリヤベース３の背面側には上記バリヤ羽根操作リング１１が配置される。
【００２６】
図３に示すように、上記バリヤ羽根操作リング１１には同一円周上に３つの円弧状の回転ガイド用の長孔５１が設けられている。一方、上記バリヤベース３の背面には３つのボス５２が設けられている。上記バリヤベース３の背面に上記バリヤ羽根操作リング１１を重ね合わせると、上記３つの回転ガイド用の長孔５１に上記ボス５２が挿入されていて、上記回転ガイド用の長孔５１の範囲内でバリヤ羽根操作リング１１が回転するようになっている。また、上記バリヤ羽根操作リング１１に設けた第１バリヤ羽根操作突起１８は、上記バリヤベース３の外周の切欠部５３から上記バリヤベース３の前面側に突出し、上記第２バリヤ羽根操作突起１９は、上記バリヤベース３に設けた円弧状の突起挿入孔５４を介して上記バリヤベース３の前面側に突出する。上述したように上記バリヤ羽根操作リング１１の外周部に設けた円弧状のギヤ歯１７には上記ギヤトレイン１５の末端のギヤ１６が噛合する。
【００２７】
図１１〜図１６は上記バリヤ羽根操作リング１１によるバリヤ羽根６、７の開閉操作の説明図である。
【００２８】
図１１はバリヤ羽根６、７が完全に閉じられた状態を示す。バリヤ羽根６、７が閉じられた状態においては、図１１Ａに示すように、上記回転ガイド用の長孔５１の一端部５１ａにボス５２が接触して上記バリヤ羽根操作リング１１は、矢印ａ方向に最大限回転した状態になっている。この状態においては、図１１Ｂに示すように、第１，第２バリヤ羽根操作突起１８，１９は、上記バリヤ羽根６、７の被押圧部２０と非接触状態に保たれている。
【００２９】
図１２は、第１，第２バリヤ羽根操作突起１８，１９と上記バリヤ羽根６、７の被押圧部２０を非接触状態に保ちつつ上記バリヤ羽根操作リング１１を矢印ａ方向に僅かに回転させた状態を示す。この所謂遊び回転によってバリヤ羽根６、７の寸法誤差や組付誤差等を吸収し、上記回転ガイド用の長孔５１の一端部５１ａにボス５２が接触した状態において確実に上記バリヤ羽根６、７を閉じるようになっている。
【００３０】
図１３は、上記バリヤ羽根操作リング１１を更に矢印ａ方向に回転させることにより、上記第１，第２バリヤ羽根操作突起１８，１９が上記バリヤ羽根６、７の被押圧部２０の位置まで移動して来た状態を示す。
【００３１】
図１４は、上記バリヤ羽根操作リング１１を更に矢印ａ方向に回転させることにより、上記第１，第２バリヤ羽根操作突起１８，１９で上記バリヤ羽根６、７の被押圧部２０を押圧して上記バリヤ羽根６、７が半開きになった状態を示す。
【００３２】
図１５は、上記バリヤ羽根操作リング１１を更に矢印ａ方向に回転させることにより、上記第１，第２バリヤ羽根操作突起１８，１９で上記バリヤ羽根６、７の被押圧部２０を押圧して上記バリヤ羽根６、７が完全に開放された状態を示す。この状態に置いては、図１５Ａに示すように、上記回転ガイド用の長孔５１の他端部５１ｂにボス５２は接触していない。
【００３３】
図１６は、上記バリヤ羽根操作リング１１を更に矢印ａ方向に回転させることにより、上記回転ガイド用の長孔５１の他端部５１ｂにボス５２が接触して上記バリヤ羽根操作リング１１の回転が停止した状態を示す。図１５から図１６に至るまでの所謂遊び回転によってバリヤ羽根６、７の寸法誤差や組付誤差等を吸収して、上記バリヤ羽根６、７を確実に開放させる。
【００３４】
上記レンズバリヤ装置１は、図示を省略した撮像装置の撮像レンズの前方に組み込まれ、上記コネクタホルダ１３に設けたコネクタ２８を介して撮像装置の制御回路に接続されている。そして、撮像装置の電源ボタンをＯＮすると、上記バリヤ羽根駆動部１０のステッピングモータ１４が回転して、該ステッピングモータ１４の回転は、ギヤトレイン１５を介して上記バリヤ羽根操作リング１１に伝達され、図１１〜図１６に示した一連の行程を経てバリヤ羽根６，７は開放される。また、撮像装置の電源ボタンをＯＦＦすると、上記バリヤ羽根駆動部１０のステッピングモータ１４が逆回転して、図１６〜図１１の行程を経てバリヤ羽根６，７は閉じられる。
【００３５】
図１７〜図２１は、上記バネ８，９の変形例を示す。図１７に示す第１変形例においては、バリヤ羽根係合部２７を円形状に形成した。バリヤ羽根係合部２７を円形状に形成することにより、バリヤ羽根係合部２７と上記バリヤ羽根６，７に設けた第２突起部３４との係合をより確実なものにして、上記バネ８，９を上記バリヤ羽根６，７から脱落し難いものにすることができる。
【００３６】
図１８に示す第２変形例においては、バリヤ羽根係合部２７の端部を略直角に折り曲げて形成した。バリヤ羽根係合部２７を半円形状或いは円形状に形成した場合に較べ、バリヤ羽根係合部２７を第２突起部３４に嵌合する必要がないので、上記バリヤ羽根６，７への組み付けが容易になる。
【００３７】
図１９に示す第３変形例においては、ループ部２１を複数巻きにした場合を示す。ループ部２１の巻数を変えることにより、バネ８、９の付勢力を変えることができる。
【００３８】
図２０に示す第４変形例においては、バリヤ羽根係合部２７の巻径Ｄ１をループ部２１を巻径Ｄ２よりも大きくした場合を示す。図２１に示すように、バリヤ羽根係合部２７を係合する第２突起部３４の径を上記バリヤ羽根係合部２７の巻径Ｄ１に合わせて大きくすることにより、バリヤ羽根係合部２７と第２突起部３４との係合をより確実なものにすることができる。何れの変形例もその他の構成は、図２，図３に示す基本のバネと同じであるので重複する説明は省略する。なお、上記実施例ではレンズバリヤ装置を例にとって説明したが、本発明のネジリコイルバネは、レンズバリヤ装置の他に、シャッター装置など薄い開閉板に取り付けて、該開閉板に開き方向或いは閉じ方向の回動力を付与する場合に広く用いられる。
【図面の簡単な説明】
【００３９】
【図１】レンズバリヤ装置の斜視図。
【図２】カバーを取り外した状態の斜視図。
【図３】分解斜視図。
【図４】Ａはバネの斜視図、Ｂは裏返して見た斜視図。
【図５】Ａはバネの正面図、Ｂは要部の平面図、Ｃは要部の底面図。
【図６】バネをバリヤ羽根に組み付ける前の斜視図。
【図７】バネをバリヤ羽根に組み付けた斜視図。
【図８】バリヤ羽根を底面側から見た斜視図。
【図９】バリヤ羽根をバリヤベースに組み付けた斜視図。
【図１０】Ａ、Ｂ、Ｃ、Ｄはバリヤ羽根をバリヤベースに組み付ける工程を示す説明図。
【図１１】Ａはバリヤベースの背面に羽根操作リングに組み付けて背面側から見た正面図、Ｂはバリヤ羽根側から見た正面図。
【図１２】Ａはバリヤベースの背面に羽根操作リングに組み付けて背面側から見た正面図、Ｂはバリヤ羽根側から見た正面図。
【図１３】Ａはバリヤベースの背面に羽根操作リングに組み付けて背面側から見た正面図、Ｂはバリヤ羽根側から見た正面図。
【図１４】Ａはバリヤベースの背面に羽根操作リングに組み付けて背面側から見た正面図、Ｂはバリヤ羽根側から見た正面図。
【図１５】Ａはバリヤベースの背面に羽根操作リングに組み付けて背面側から見た正面図、Ｂはバリヤ羽根側から見た正面図。
【図１６】Ａはバリヤベースの背面に羽根操作リングに組み付けて背面側から見た正面図、Ｂはバリヤ羽根側から見た正面図。
【図１７】バネの第１変形例を示す斜視図。
【図１８】バネの第２変形例を示す斜視図。
【図１９】バネの第３変形例を示す斜視図。
【図２０】バネの第４変形例を示す斜視図。
【図２１】第４変形例のバネの組付け状態を示す側面図。
【図２２】従来例の説明図。
【図２３】他の従来例の説明図。
【図２４】更に他の従来例の説明図。
【符号の説明】
【００４０】
１…レンズバリヤ装置、２…開口部、３…バリヤベース、４…開口部、５…カバー、６，７…バリヤ羽根、８，９…バネ、１０…バリヤ羽根駆動部、２１…ループ部、２１…第１アーム部、２２…第２アーム部、２４…バリヤ羽根挟持部、２５…第１折部曲、２６…第２折部曲、２７…バリヤ羽根係合部。
【図１】
2008158248.tif 000003
【図２】
2008158248.tif 000004
【図３】
2008158248.tif 000005
【図４】
2008158248.tif 000006
【図５】
2008158248.tif 000007
【図６】
2008158248.tif 000008
【図７】
2008158248.tif 000009
【図８】
2008158248.tif 000010
【図９】
2008158248.tif 000011
【図１０】
2008158248.tif 000012
【図１１】
2008158248.tif 000013
【図１２】
2008158248.tif 000014
【図１３】
2008158248.tif 000015
【図１４】
2008158248.tif 000016
【図１５】
2008158248.tif 000017
【図１６】
2008158248.tif 000018
【図１７】
2008158248.tif 000019
【図１８】
2008158248.tif 000020
【図１９】
2008158248.tif 000021
【図２０】
2008158248.tif 000022
【図２１】
2008158248.tif 000023
【図２２】
2008158248.tif 000024
【図２３】
2008158248.tif 000025
【図２４】
2008158248.tif 000026